(57)【要約】【課題】  脊椎整列用の装置を提供する。【解決手段】  一の実施形態では、本発明は、骨アンカー（２６）を受け入れるフック状部材（３０）を含んでおり、当該部材とアンカーは共に骨の一部に対して固定される。フックとアンカーから成るアッセンブリは、ケーブル（５０）とコネクタで外科処置用ロッド（２２）に連結される。
2005525908.tif 000002
【特許請求の範囲】
【請求項１】
脊椎整列用の装置において、
外科処置用ロッドと、
内部に骨の一部を受け入れるように適合されて構成されたフック状部材であって、貫通する開口が形成されているフック状部材と、
骨の中へ固定するように適合されて構成されている本体と、ヘッドとを有し、且つ前記本体は、その骨に固定されるときに前記開口を通過するアンカーと、
前記フック状部材を前記ロッドに連結するためのケーブルと、を備えている装置。
【請求項２】
前記開口は第１開口であり、前記フック状部材は、一方の端部で接続され、他方の端部が離間して、その間に骨の部分を受け入れるポケットを形成している第１及び第２アームを有しており、前記第１及び第２アームの一方に前記第１開口が形成され、前記第１及び第２アームの他方に第２開口が形成され、前記骨に固定されるときに前記本体が前記第２開口を通過する、請求項１に記載の装置。
【請求項３】
前記第１開口は孔であり、前記第２開口はスロットである、請求項２に記載の装置。
【請求項４】
前記ケーブルは第１及び第２端部を有し、前記ロッドは湾曲断面を有しており、前記装置は、前記第１端部を受け入れるための第１ポケットと、前記第２端部を受け入れるための第２ポケットと、前記ロッドの前記湾曲断面に対して概ね相補的な曲率を有する前記第１ポケットと前記第２ポケットの間の中間部と、を画定している接続部材を更に備えている、請求項１に記載の装置。
【請求項５】
前記ケーブルの前記第１及び第２端部は、それぞれ、球形部分を有しており、各前記第１及び第２ポケットは、その対応する端部の球形部分を受け入れるように適合されて構成された球形の窪みを有している、請求項４に記載の装置。
【請求項６】
前記アンカーは骨ねじである、請求項１に記載の装置。
【請求項７】
前記フック状部材は、前記ケーブルを受け入れるように適合されて構成されたノッチを画定している、請求項１に記載の装置。
【請求項８】
脊椎整列用の装置において、
外科処置用ロッドと、
内部に骨の一部を受け入れるように適合されて構成されているフック状部材と、
前記フック状部材を前記ロッドに連結しており、且つ第１及び第２端部を有し、その第１及び第２端部の一方の端部は球形部分を有しているケーブルと、
前記一方の端部を受け入れるための第１ポケットであって、その一方の端部の前記球形部分を受け入れるように適合されて構成された球形の窪みを有する第１ポケットが形成されている接続部材と、を備えている装置。
【請求項９】
前記ケーブルの前記第１及び第２端部の両方は共に球形部分を有しており、前記接続部材には、前記第１及び第２端部の他方の端部を受け入れるための第２ポケットであって、対応する前記第１及び第２端部の他方の端部の球形部分を受け入れるように適合されて構成された球形の窪みを有する第２ポケットが形成されている、請求項８に記載の装置
【請求項１０】
骨の中へ固定するように適合されて構成されており、且つ前記フック状部材を骨に連結するアンカーを更に備えている、請求項８に記載の装置。
【請求項１１】
前記アンカーはヘッドを有しており、前記フック状部材には、前記ヘッドを受け入れるためのポケットが形成され、前記ロッドは前記ケーブルが締められると前記ヘッドの少なくとも一部を覆う、請求項１０に記載の装置。
【請求項１２】
前記フック状部材には、開口スロットが形成され、前記ケーブルの一部は前記フック状部材に巻きつき、前記開口スロット内に受け入れられる、請求項８に記載の装置。
【請求項１３】
前記外科処置用ロッドは円形の断面形状を有しており、前記接続部材は、前記第１ポケットと第２ポケットの間に、前記ロッドの円形断面形状に対して概ね相補的な円形の断面形状を有する中間部を有している、請求項８に記載の装置。
【請求項１４】
脊椎整列用の装置において、
第１断面形状を有する外科処置用ロッドと、
内部に骨の一部を受け入れるように適合されて構成されたフック状部材と、
前記フック状部材を前記ロッドに連結し、且つ第１及び第２端部を有するケーブルと、
前記ケーブルの前記第１端部に接続された第１伸張部と、前記ケーブルの前記第２端部に接続された第２伸張部とを有し、更に、前記第１伸張部と前記第２伸張部との間に、前記ロッドの前記第１断面形状に対して概ね相補的な第２断面形状を有する中間部を有している接続部材と、を備えている装置。
【請求項１５】
前記ケーブルの締めつけにより前記中間部が前記ロッドに接触する、請求項１４に記載の装置。
【請求項１６】
骨の中へ固定するように適合されて構成されており、前記フック状部材を骨に連結するアンカーを更に備えている、請求項１４に記載の装置。
【請求項１７】
前記アンカーは、ねじ山付きシャンクとヘッドとを有する骨ねじであり、前記フック状部材には、該シャンクを受け入れるための開口が貫通している、請求項１６に記載の装置。
【請求項１８】
前記アンカーは、ねじ山付きシャンクと曲がった肩部の付いたヘッドとを有する骨ねじであり、前記フック状部材には、該曲がった肩部を受け入れるための曲面壁を備えた開口が貫通している、請求項１７に記載の装置。
【請求項１９】
前記フック状部材はアームを有しており、前記アームには両端が開口しその間が囲まれた孔が形成され、前記ケーブルの一部がその孔を通る、請求項１４に記載の装置。
【請求項２０】
脊椎整列用の装置において、
外科処置用ロッドと、
一方の端部で接続され、他方の端部が離間してその間に骨の一部を受け入れるポケットを形成している第１及び第２アームを有しており、前記第１及び第２アームの一方に開口スロットが形成されているフック状部材と、
前記フック状部材を骨に連結する骨アンカーと、
前記フック状部材を前記ロッドに連結し、且つ第１及び第２端部を有するケーブルであって、そのケーブルの一部が前記開口スロット内に受け入れられるケーブルと、
前記ケーブルの前記第１端部に接続された第１伸張部と、前記ケーブルの前記第２端部に接続された第２伸張部と、前記第１伸張部と前記第２伸張部との間の中間部とを有する接続部材と、を備えている装置。
【請求項２１】
前記第１及び第２アームの他方には開口が形成され、前記骨アンカーの一部がその開口を通過する、請求項２０に記載の装置。
【請求項２２】
前記第１及び第２アームの一方には開口が形成され、前記骨アンカーの一部がその開口を通過する、請求項２０に記載の装置。
【請求項２３】
前記中間部は、前記ケーブルが締め付け後に前記ロッドに接触しないように、前記第１伸張部と第２伸張部との間隔をあけている、請求項２０に記載の装置。
【請求項２４】
前記外科処置用ロッドは第１幅を有し、前記接続部材は第２幅を有しており、前記第２幅は前記第１幅よりも大きい、請求項２０に記載の装置。
【請求項２５】
前記外科処置用ロッドは第１幅を有し、前記接続部材の中間部は第２幅を有しており、前記第２幅は前記第１幅とほぼ同じである、請求項２０に記載の装置。
【請求項２６】
前記外科処置用ロッドは外側面を有しており、前記第１伸張部は前記外側面に接しておらず、前記第２伸張部は前記外側面に接しておらず、前記中間部は前記外側面に接している、請求項２０に記載の装置。
【請求項２７】
脊椎整列用の装置において、
外科処置用ロッドと、
ヘッドと、骨の中へ固定するように適合されて構成されている本体とを有し、前記ヘッドに貫通する開口が形成されている骨アンカーと、
前記骨アンカーを前記ロッドに連結し、且つ第１及び第２端部を有するケーブルであって、そのケーブルの一部が前記開口を通るケーブルと、
前記ケーブルの前記第１端部に接続された第１伸張部と、前記ケーブルの前記第２端部に接続された第２伸張部と、前記第１伸張部と前記第２伸張部の間の中間部とを有する接続部材と、を備えており、
前記中間部は、前記ケーブルが、締めつけ後に、前記ロッドに接触しないように、前記第１伸張部と前記第２伸張部との間隔をあけている装置。
【発明の詳細な説明】
【技術分野】
【０００１】
本発明は、脊椎を整列させるための方法及び装置に属する。
【背景技術】
【０００２】
本出願は、２００２年５月２１日出願の米国仮特許出願第６０／３８２，３３２号、並びに２００２年５月２２日出願の米国仮特許出願第６０／３８２，３２０号に対する優先権の恩典を主張し、上記両出願を参考文献として本願に援用する。
【０００３】
ある種の整列手術では、ステンレス鋼ワイヤを薄層の下、脊柱管に通して、分節式に精髄ロッドの周りにしっかりと締める。ワイヤは、曲がった脊柱と等高脊髄ロッドの間の距離を減らす方法で、徐々に分節毎にロッドに取り付けられる。
【０００４】
この方法はたいていの場合効果を発揮するが、脊柱管にワイヤを通すことが、手術中及び手術後共に臨床学的複雑性の原因となっていると報告されている。必要とされているのは、ワイヤを脊柱管に通すこと無く脊椎を脊髄ロッドに取り付けることができるようにする方法と装置である。本発明は、斬新で、まだ明らかにされていないやり方で、上記方法と装置を提供する。
【特許文献１】米国特許第６，２９９，６１３号明細書
【特許文献２】米国特許第５，５６９，２５３号明細書
【特許文献３】米国特許第５，７８２，８３１号明細書
【特許文献４】米国特許第６，２９９，６３１号明細書
【発明の開示】
【課題を解決するための手段】
【０００５】
本発明の一の実施形態は、脊椎整列用の装置に関係する。この実施形態は、外科処置用ロッドと、フック内に骨の一部を受け入れるように作られ構成されたフック状の部材を備えている。この実施形態は、この部材に連結される、骨の中へ固定するように作られ構成された本体とヘッドとを有するアンカーを更に含んでいる。この本実施形態は、前記フック状の部材をロッドに連結するケーブルを更に含んでいる。
【０００６】
本発明の別の実施形態は、脊椎整列用の装置に関係する。この実施形態は、外科処置用ロッドと、フック内に骨の一部を受け入れるように作られ構成されたフック状の部材を備えている。この実施形態は、フック状の部材をロッドに連結し、第１及び第２端部を有するケーブルを更に含んでいる。この実施形態は、第１及び第２端部を受け入れる接続部材を更に含んでおり、第１及び第２端部は、それぞれ、接続部材に軸回転可能に連結できるように作られ構成されている。
【０００７】
本発明の更に別の実施形態は、脊椎整列用の装置に関係する。この実施形態は、第１断面形状を有する外科処置用ロッドを備えている。本実施形態は、骨の中へ固定するように作られ構成されたアンカーを更に含んでいる。この実施形態は、アンカーをロッドに連結し、且つ第１及び第２端部を有するケーブルを更に含んでおり、ケーブルの第１端部に接続された第１伸張部とケーブルの第２端部に接続された第２伸張部を有し、且つロッドの断面形状に対して概ね相補的な第２断面形状を有する中間部を第１伸張部と第２伸張部の間に有する接続部材を更に含んでいる。
【０００８】
本発明の更に別の実施形態は、脊椎整列用の装置に関係する。この実施形態は、外科処置用ロッドと、第１及び第２アームを有し前記アームの一方に開口スロットが形成されたフック状の部材を備えている。この実施形態は、フック状の部材を骨に連結する骨アンカーを含んでいる。この実施形態は、フック状の部材をロッドに連結するケーブルを含んでおり、このケーブルの一部は開口スロット内に入っている。本実施形態は、ケーブルに接続された第１伸張部と、ケーブルに接続された第２伸張部を有する接続部材を更に含んでいる。
【０００９】
本発明の上記及びその他の目的は、好適な実施形態の説明、図面、及び特許請求の範囲の内容に示される。
【発明を実施するための最良の形態】
【００１０】
本発明の原理の理解を促すため、以下、図面に示す実施形態を参照してゆくが、説明に当たっては特定の言語を使用する。但し、それにより本発明の範囲を限定する意図はなく、記載の装置に加えられる変更又は修正、並びにここに記載する原理のこの他の適用については、本発明が関係する分野の当業者であれば普通に考案できるものと考えられる。
【００１１】
本発明の脊椎整列用の各種装置及び方法に関する。一の実施形態では、本発明は、スイベル機構を有する骨ねじ・アンカー(bone screw anchor)と、整復操作時に分布荷重面を提供するフックを含んでいる。一の実施形態では、フックは骨ねじ又はステープルで脊椎に連結される。更に他の実施形態では、フックは、フック、ロッド、取り付けケーブルの相対配置により、脊椎に対し荷重負担方向に維持される。上記他の実施形態では、骨ねじ、ステープル、又は他の締結機構は随意である。本発明の更に別の実施形態では、フックは随意である。上記実施形態では、骨ねじ(bone screw)、ステープル、又は他の締結具は、可撓ケーブルを受け入れて中に通す通路を含んでいる。ケーブルは、フックの必要無しに締結具をコネクタに直接接続する。
【００１２】
図１及び図２では、本発明の一の実施形態による装置２０を示している。外科処置用ロッド２２（断面で図示）は、外科医が選択した、脊柱に実質的に平行な経路に沿っている。装置２０は、脊椎（図示せず）に固定される骨ねじ２６を含んでいる。スクリュー２６は、フック状部材３０の一方の端部に回転可能に連結されており、フック状部材３０は、その中に骨の一部を受け入れるように作られ構成されている。可撓ケーブル５０の一部分が部材３０の一方のアームの周りを通って部材３０をロッド２２に連結している。ケーブル５０の両端はコネクタ６０に連結されているが、コネクタ６０はロッド２２の一部を跨いでいるのが望ましい。ケーブルを適宜締めつけた状態で、部材３０と骨ねじ２６は、脊椎をロッド２２に近接して位置決めできるだけの荷重を脊椎に加える。
【００１３】
ケーブル５０をどこまで締め付けるかは、外科医の決定による。例えば、本発明の一の実施形態では、図１に示すようにロッドとフックが接触しているのとは対照的に、ロッド２２とフック３０の間に間隙がある。それら別の実施形態では、外科医はロッド２２の周りのケーブル５０の締め付けに制限を設けることを選択することができる。この制限付き締め付けは、例えば、選択された椎骨を制限された量だけ移動させるに当たっての外科医側の決定を考慮に入れることができる。この様に、本発明は、ロッド２２をフック３０の面にぴったりと押し付けるのに十分なだけケーブル５０が締め付けられる実施形態（本発明の一の実施形態では、ロッドに少なくともヘッドの一部を覆うようにさせる）を考えており、更に、ロッド２２とフック３０の表面の間に間隙が維持される実施形態も考えている。
【００１４】
図３及び図４は、それぞれ骨ねじ２６の側面図と端面図を示している。スクリュー２６は、セルフタッピング特性と、移植後の不本意な緩みに抵抗する特性も有しているのが望ましい。スクリュー２６はねじ山付きシャンク２７とヘッド２８を含んでいる。ヘッド２８は、スクリュー２６を部材３０の一方のアームに回転可能に連結する半球形面２８．１を含んでいるのが望ましいが、これについては後述する。ヘッド２８は、スクリュー２６にトルクを掛けるための六角形スロット２９を含んでいるのが望ましい。
【００１５】
図６から図１０では、本発明の一の実施形態によるフック状部材３０の各種図面を示している。部材３０は、部材３０の側面外観がＵ字又はＶ字形状になるように、一方の端部が連結され他方の端部が離間した１対の対向するアーム３２と３４を含んでいる。アーム３２と３４は、両者の間に骨の一部を受け入れるためのグルーブ又はポケット３３を画定している。一の実施形態では、アーム３２と３４は長さが違っている。図８に示す一例では、両アームの結合端の最上部の外側半径からアーム３４の最下部先端までの長さは約１４から１５ミリメートルであるのに対し、同じ外側半径からアーム３２の最下部先端までの長さは１６から１７ミリメートルである。図１０に示すように、一の実施形態では、アーム３２、３４の内側の骨接触面は、平らであって、約２０度から２５度の開先角度３６を画定しているのが望ましい。しかしながら、本発明は、アーム３２と３４が概ね平行である実施形態、更には、開先角度が２５度よりも大きい実施形態も考えている。部材３０は、ＡＳＴＭＦ−１３６に準拠したＴｉ−６ＡＬ−４Ｖの様な合金で製作するのが望ましい。具体的な大きさと材料に言及してはいるが、本発明はそのような特定の詳細事項に限定されるものではない。図７と図１０を見ると分かり易いが、アーム３２は、スクリュー２６のシャンク２７が入る大きさの開口(aperture)即ち貫通孔３８を有している。また、アーム３２は、スクリューヘッド２８の面２８．１が３次元回転できるように作られ構成された丸味付けポケット３９を有している。次に、図６及び図１０に示すように、対向アーム３４は、その自由端に、１対の伸張部４１ａと４１ｂの間に配置されたスロット４０を有している。伸張部４１ａと４１ｂは、図１と図２を見るとよく分かるように、シャンク２７の外径を受け入れるように離間しているのが望ましい。しかしながら、本発明は、骨ねじのシャンクが、フック１３０のアーム１３４に画定された開口(aperture)即ちすきま孔１４０を貫通する実施形態（図１９Ｂ）も考えている。更に本発明は、フック２３０のアームがスクリューシャンクを受け入れるための開口(aperture)即ちスロット２４０を有しているが、スロットの開口端が９０度回転して、アーム３４の側部に横方向に開くようになっている点が異なる実施形態（アーム３２の側面に横方向に開いているノッチ４２ａと４２ｂと同じ向き、図１９Ｃ参照）も考えている。
【００１６】
図７、８、９に示すように、アーム３２は、ケーブル５０を受け入れる大きさの、一対の横方向に相対するノッチ４２ａと４２ｂを含んでいる。ノッチ４２ａと４２ｂの間に、丸味付きノッチ４３が伸張している。ノッチ４３は、ケーブル５０用の逃げ空間を提供しており、ケーブル５０がＵ字又はＶ字状のポケット区域３３に突き出すことも、その中の骨に接触することもないようになっているのが望ましく。
【００１７】
次に、図５に示すように、コネクタ６０はフック部材３０をロッド２２に連結するための手段を提供する。コネクタ６０は、中間部即ちロッド連結部６６で相互接続されている一対の伸張部又は対向端部６０ａと６０ｂを含んでいる。連結部６６は、ロッド２２の外部形状に対して相補的な形状を有しているのが望ましい。本発明の一の実施形態では、ロッドは円形の断面形状を有し、中間部６６は相補的な半円形状を有している。図２を見ると分かり易いが、ロッド連結部６６は、ロッド２２の直径と同程度の幅又は周方向範囲を有している。ロッド連結部６６は、一の実施形態ではケーブルを締め付けた後ではケーブルがロッドに接触しないように、対向端部６０ａと６０ｂを離間している。しかしながら、本発明は、コネクタ６０が、ケーブルがロッド２２の部分に接触するような形状寸法である実施形態も考えている。各端部６０ａと６０ｂは、それぞれ滑らかな内部ポケット６２、６４を有しているのが望ましい。ポケット６２と６４は、それぞれフィッティング５２と５４を回転可能に受け入れ、フィッティングを回転できる状態に保持する。フィッティング５２と５４は、それぞれケーブル５０の端部５０ａと５０ｂに取り付けられる。一の実施形態では、フィッティング５４は、ケーブル端部５０ｂに堅く取り付けられた球形又はケーブルボール端であり、フィッティング５２は、ケーブル５０を締め付けて適当な長さに切断する前に、ケーブル５０にきつくかしめられるかしめ可能なケーブルフィッティングである。
【００１８】
図１１から図１４は、脊椎に連結された装置２０の様々な図を示している。脊椎を必要に応じて切断又は操作した後、外科医はフック部材３０を脊椎の近辺に配置する。部材３０は、鉗子で、窪み４４ａと４４ｂ内に嵌る雄型端部を使って保持される。部材３０は、図１に示すように、ステープルの配置又はスクリュー２６の挿入によって脊椎から後退離脱しないようにされる。コネクタ６０は、脊髄ロッド２２の一方の側に配置される。フィッティング５４を含む所定の長さのケーブルが、コネクタのポケット６４を通し、部材３０のアーム３２の周りを４２ａ、４２ｂ、４３に沿って通される。ケーブル５０の自由端は、コネクタ６０の他方の端部のポケット６２に通される。かしめ可能なフィッティング５２は、ケーブルの自由端上に配置され、ポケット６２に近接するよう動かされる。ロッド２２の外側が窪み６６内に嵌り、コネクタの両端６０ａと６０ｂがロッド２２を跨ぐように、ケーブルが締め付けられる。適当な張力が掛けられた後、フィッティング５２はケーブル５０にしっかりとかしめられ、ケーブル５０の余分な長さは除去される。
【００１９】
本発明の一の実施例では、脊髄移植ロッドは複数のコネクタに取り付けられ、各コネクタは可撓ケーブルで複数のフック状部材に連結されている。一の実施形態では、全ての可撓ケーブルは、各フック状部材をロッドに接触させるために締め付けられる。更に他の実施形態では、可撓ケーブルは、フック状部材の何れもがロッドに接触しないように締め付けられる。なお、更に他の実施形態では、１つ又は複数のフックをロッドと接触させるようにケーブルの幾つかが締め付けられ、他のケーブルは１つ又は複数のフックがロッドから離間するように締め付けられると理解されたい。
【００２０】
図１５から図２５は、本発明の代わりの各種実施形態によるフック状部材を示している。ダッシュ記号「’」は、図示又は説明する相違点以外は、ダッシュ記号のない要素と同じである要素を指している。接頭辞“Ｎ”を使用しているもの（ＮＸＸ）は、図示又は説明する相違点以外は接頭辞のない要素（ＸＸ）と同じ要素を指している。
【００２１】
図１５、１６及び２０を見ると分かり易いが、フック状部材３０’は、アーム３４’の側方の相対する側部に沿って幅狭部分４２ａ’と４２ｂ’を含んでいる。図１６を見ると分かり易いが、上記幅狭部分４２ａ’と４２ｂ’は、アーム３４’と３２’との連接部と開口３８’の付近の両方で、幅広部分に合流している。上記幅狭部分は、スロット４３’と協働し、一緒にケーブルを正確に配置し、またケーブルの鋭い曲りを最小限にする。
【００２２】
図２３は、本発明の別の実施形態による側面図である。装置３２０は、図示及び説明する変更箇所以外は装置２０と同じである。装置３２０は、アッセンブリからフック状部材を省いている。代わりに、アンカー３２８に、これを貫通する開口又は貫通孔３２８．２が形成されている。ケーブル３５０とコネクタ３６０は協働してロッド３２２をアンカー３２８に連結する。一の実施形態では、ヘッド３２９にロッド３２２の外側形状を受け入れるための円筒形の窪みが設けられている。図２４は、本発明の別の実施形態によるフック状部材４３０の側面図である。部材４３０は、両端が開口しその間が囲まれているスロット４４３を含んでいる。ケーブル４５０（図示せず）がスロット４４３を貫通する。
【００２３】
図２５は、本発明の別の実施形態によるアッセンブリ５２０の斜視図である。整列装置５２０は、骨アンカーを省いている点以外は装置２０と同じである。一の実施形態では、フック状部材５３０は、２００１年１０月９日にオジルヴィェ(Ogilvie)他に発行された米国特許第６，２９９，６１３号に記載のかえし(barbs)、尖端(prongs)、尖叉(tines)、又は先細先端(pointed tips)の何れを含んでいてもよい。これらかえし、尖端、尖叉、及び／又は先細先端（図示せず）は、アーム５３４の内側面５３４．１、アーム５３２の内側面５３２．１、伸張部５４１ａと５４１ｂそれぞれの端面５４１．１ａと５４１．１ｂ、及び／又は開口５４０の内側壁５４０．１、の内の１つ又はそれ以上に含まれていてもよい。
【００２４】
本出願は、参考文献として、１９９６年１０月２９日にフェリス(Farris)とボナー(Bonner)に発行された米国特許第５，５６９，２５３号、１９９８年７月２１日にシャーマン(Sherman)とドルゥリー(Drewry)に発行された米国特許第５，７８２，８３１号、及び２００１年１０月９日にオジルヴィェ(Ogilvie)他に発行された米国特許第６，２９９，６３１号も援用している。
【００２５】
以上、図面と上記記述によって本発明を図示し詳しく説明してきたが、これらは、本発明を説明するものであり限定するものではなく、好適な実施形態を図示し説明したに過ぎないのであって、本発明の趣旨に含まれる全ての変更及び修正は保護の対象とされることを望む。
【図面の簡単な説明】
【００２６】
【図１】本発明の一の実施形態によるケーブル・骨アンカーアッセンブリの斜視図である。
【図２】図１のアッセンブリの立面図である。
【図３】図１の骨ねじの側面図である。
【図４】図３の装置の図３の４−４線に沿う矢視図である。
【図５】図１のアセンブリの一部の側面図である。
【図６】図１のアッセンブリのフックの端面図である。
【図７】図６の装置の図６の７−７線に沿う上面図である。
【図８】図７の装置の図７の８−８線に沿う側面図である。
【図９】図６の装置の図６の９−９線に沿う側面図である。
【図１０】図６の装置の図６の１０−１０線に沿う切断図である。
【図１１】脊椎に取り付けられた図１の装置の斜視図である。
【図１２】脊椎に取り付けられた図１の装置の斜視図である。
【図１３】脊椎に取り付けられた図１の装置の斜視図である。
【図１４】脊椎に取り付けられた図１の装置の斜視図である。
【図１５】本発明の代わりの実施形態による装置の端面図である。
【図１６】図１５の装置の図１５の線１６−１６に沿う矢視図である。
【図１７】図１５の装置の図１５の線１７−１７に沿う断面図である。
【図１８】図１５の装置の図１５の線１８−１８に沿う矢視図である。
【図１９Ａ】図１８の装置の図１８の１９Ａ−１９Ａに沿う矢視図である。
【図１９Ｂ】本発明の別の実施形態によるフック状の部材を示す、図１９Ａと同様に視た図である。
【図１９Ｃ】本発明の又別の実施形態によるフック状の部材を示す、図１９Ａと同様に視た図である。
【図２０】図１８の装置の図１８の２０−２０線に沿う矢視図である。
【図２１】図１８の装置の図１８の２１−２１線に沿う矢視図である。
【図２２】図１８の装置の図１８の２２−２２線に沿う断面図である。
【図２３】本発明の別の実施形態による側面図である。
【図２４】本発明の別の実施形態による装置の側面図である。
【図２５】本発明の別の実施形態によるケーブル・フック部材アッセンブリの斜視図である。
【図１】
2005525908.tif 000003
【図２】
2005525908.tif 000004
【図３】
2005525908.tif 000005
【図４】
2005525908.tif 000006
【図５】
2005525908.tif 000007
【図６】
2005525908.tif 000008
【図７】
2005525908.tif 000009
【図８】
2005525908.tif 000010
【図９】
2005525908.tif 000011
【図１０】
2005525908.tif 000012
【図１１】
2005525908.tif 000013
【図１２】
2005525908.tif 000014
【図１３】
2005525908.tif 000015
【図１４】
2005525908.tif 000016
【図１５】
2005525908.tif 000017
【図１６】
2005525908.tif 000018
【図１７】
2005525908.tif 000019
【図１８】
2005525908.tif 000020
2005525908.tif 000021
【図２０】
2005525908.tif 000022
2005525908.tif 000023
【図２１】
2005525908.tif 000024
【図２２】
2005525908.tif 000025
【図２３】
2005525908.tif 000026
【図２４】
2005525908.tif 000027
【図２５】
2005525908.tif 000028
【国際調査報告】
2005525908.tif 000029
2005525908.tif 000030